(57)【要約】【課題】一人で容易に各種のロック解除を操作できるスライドレールを提供する。【解決手段】第一レール（１）を備える。第二レール（２）は、第一レール（１）に嵌合してスライド移動可能であり、上部に一つの係止部（２１）が設けられている。ガイド板（３）は、第二レール２の内側の面に取り付けられ、一端に操作ボタン（４）を備える。係止部材（５）は、操作ボタン４の片側に位置し、一つの引掛け部（５１）と一つの受け部（５２）とが設けられ、弾力により引掛け部（５１）は対応する第二レール（２）の係止部（２１）と相互に引っ掛かりロックする。ガイド板（３）は一時的ロック機能を備え、第一レール（１）と第二レール（２）とはガイド板（３）が引っ張り操作された後、一つ一つが一時ロック解除状態を保持している為、一人で簡単に操作できる。【選択図】図１
0003138146.tif 000002
【実用新案登録請求の範囲】
【請求項１】
第一レールと、
前記第一レールに嵌合してスライド移動可能であり、上部に一つの係止部が設けられている第二レールと、
前記第二レールの内側の面に取り付けられ、一端に操作ボタンを備えるガイド板と、
前記操作ボタンの片側に位置し、一つの引掛け部と一つの受け部とが設けられ、弾性力により引掛け部は対応する前記第二レールの係止部と相互に引っ掛かって留まる係止部材と、
を含むことを特徴とするスライドレール。
【請求項２】
前記第二レールの係止部は、一つの中空孔の内に設けられ、一つの停止面を備えることを特徴とする請求項１記載のスライドレール。
【請求項３】
前記操作ボタンの片側には一つの開口部が設けられ、係止部材が開口部に結合することを特徴とする請求項１記載のスライドレール。
【請求項４】
前記係止部材は、弾性部材であり、一つの固定端を備え、操作ボタンの開口部の片側には一つの接合溝が設けられ、前記係止部材の固定端は操作ボタンの接合溝に嵌合し、開口部に延伸することを特徴とする請求項３記載のスライドレール。
【請求項５】
前記係止部材と操作ボタンとは、一体成形によって相互に接続しており、係止部材は弾性があり、開口部に延伸することを特徴とする請求項３記載のスライドレール。
【請求項６】
前記係止部材と操作ボタンとは回動可能に支持され、係止部材に作用を及ぼす一つの弾性部品を含むことを特徴とする請求項３記載のスライドレール。
【請求項７】
前記係止部材は、操作ボタンの開口部に接合しているため、係止部材は開口部において縦方向に運動し、係止部材に作用を及ぼす一つの弾性部品を含むことを特徴とする請求項３記載のスライドレール。
【請求項８】
前記係止部材の両側には制御部を備えており、操作ボタンの開口部の両側にはエッジが設けられ、制御部は対応するエッジと当接していることを特徴とする請求項７記載のスライドレール。
【請求項９】
前記係止部材には一つのスライド溝が設けられ、操作ボタンに設けられている一つの凸柱はスライド溝内に延伸することを特徴とする請求項７記載のスライドレール。
【請求項１０】
前記ガイド板の一端には操作ボタンを備え、係止部材は前記ガイド板の上に設けられていることを特徴とする請求項１記載のスライドレール。
【請求項１１】
前記ガイド板の一端には一つの柄部が設けられ、係止部材の一端には一つの延伸片が設けられ、係止部材の延伸片は柄部に対応して接続し、操作ボタンはガイド板の柄部上に固定され、柄部上に係止部材を嵌め込む一つの可動溝が設けられていることを特徴とする請求項１０記載のスライドレール。
【考案の詳細な説明】
【技術分野】
【０００１】
本考案は、スライドレールに関するものであり、特に、スライドレールのガイド板が操作されて元の位置を離れた後、ガイド板が一時ロック機能を備えることにより、手作業によってガイド板に持続的な力を加える必要がないスライドレールに関するものである。
【背景技術】
【０００２】
現在、一般の機能に優れたスライドレールは、可動レールを固定レールから引っ張り出した状態の下で、可動レールが固定レールの内側に戻ることを防ぎロックする機能を有する。また、可動レールを固定レールから引っ張り出すとき、離脱を防止するロック構造を設けてあるため、可動レールは固定レールから完全に離脱することがない。また、離脱を防止するロック構造にロックを解除するガイド板を組み合わせ、可動レールを取り外し式とすることも可能である。
【０００３】
また、一般に、スライドレールを備えた引き出し等を使用する場合、通常は、一組のスライドレールを使用し、即ち、二本のスライドレールをそれぞれ引き出し等の左右両側に取り付け、各スライドレールには戻り防止及び離脱防止の構造を持たせているので、ロックを解除するガイド板を操作する場合、操作者は両手で同時に左右両側のスライドレールのガイド板を操作し、ガイド板に持続的に力を加えるだけで、一緒に可動レールを押し入れ、又は引っ張り出すことができる。
【考案の開示】
【考案が解決しようとする課題】
【０００４】
しかしながら、引き出し等に二本以上のスライドレールを使用した場合、操作者一人の両手では足りず、力を加えて引っ張り出すガイド板を同時に操作し、又は同時にロック解除するのは困難である。
【課題を解決するための手段】
【０００５】
本考案は、上記の課題を解決するスライドレールを提供するものであり、ガイド板に持続的な力を加えて引っ張り出さなくてはならない問題点、及び多数のスライドレールを同時にロック解除することが不便である問題点を解決する。その主要な技術手段は、スライドレールのガイド板が操作されて元の位置を離れた後、ガイド板の一時ロック機能により、手作業による持続的な力をガイド板に加える必要がないことにある。
【０００６】
本考案が提供するスライドレールの実施例には、第一レール、第二レール、ガイド板、及び係止部材を含んでおり、そのうち、第一レールには前端に停止部材を設ける。第二レールは、第一レールに嵌合してスライド移動可能であり、第二レールには一つの係止部を設ける。ガイド板は、第二レールの内側面に取り付けられ、ガイド板の一端には操作ボタンを備える。係止部材は操作ボタンの片側に位置しており、係止部材には一つの引掛け部と一つの受け部を設け、且つ、この係止部材は弾性作用を備えているので、引掛け部は対応する前述の第二レールの係止部に相互に引っ掛かって留まっており、受け部によって引掛け部を動かして係止部から離脱させる。
【０００７】
第二レール２の係止部２１は、一つの中空孔２２内に設けられ、係止部２１には最低一つの停止面２１１を設ける。
操作ボタン４の片側には一つの開口部４１を設け、係止部材５は開口部４１の箇所に結合する。
係止部材５は、弾性体であり、且つ、一つの固定端５３を備え、操作ボタン４の開口部４１片側には一つの接合溝４２を設ける。前記係止部材５の固定端５３は、操作ボタン４の接合溝４２に嵌接し、係止部材５は開口部４１に延伸する。
【０００８】
係止部材５ｂと操作ボタン４ｂは一体成形によって相互に接続しており、且つ、弾性のある係止部材５ｂは開口部４１ｂ箇所に延伸する。
係止部材５ｃと操作ボタン４ｃとは回動可能に支持され、一つの回転軸４３ｃを備えており、係止部材５ｃは開口部４１ｃ箇所に置かれて往復運動を行い、且つ、設けられた一つの弾性部品５４ｃは係止部材５ｃに作用を及ぼす。
【０００９】
係止部材５ｅは、操作ボタン４ｅの開口部４１ｅ箇所に位置し、一定のスライドルートを有するので、係止部材５ｅは開口部４１ｅ箇所において縦方向の運動をする。且つ、一つの弾性部品５４ｅを含んでおり、係止部材５ｅに作用を及ぼす。
係止部材５ｄの両側には制御部５５ｄを備えており、操作ボタン４ｄの開口部４１ｄ両側にはエッジ４４ｄを設け、制御部５５ｄと対応するエッジ４４ｄとは当接しているので、係止部材５ｄのスライドルートを制限することができる。
係止部材５ｅには一つのスライド溝５６ｅを設け、操作ボタン４ｅに設けた一つの凸柱４５ｅはスライド溝５６ｅ内に延伸しており、係止部材５ｅのスライドルートを制限する。
【００１０】
また、スライドレールは、主に、係止部材と操作ボタンをガイド板の上に設けたものであり、この係止部材には一つの引掛け部と一つの受け部を設け、且つ、係止部材には弾力作用があるので、引掛け部は前述の第二レールの係止部に対応して相互に引っ掛かって留まり、受け部が引掛け部の位置を移動させる。
ガイド板の一端には一つの柄部を設け、係止部材の一端には一つの延伸片を設け、係止部材の延伸片は柄部に接合し、且つ、操作ボタンはガイド板の柄部上に固設し、並びに、柄部上に係止部材を嵌め入む一つの可動溝を設ける。
【考案の効果】
【００１１】
過去の技術と比較し、本考案の改善した効果と長所は次のとおりである。
ａ．ガイド板は一時ロック機能を備え、各スライドレールはこのガイド板が引っ張り操作された後、一つ一つが一時ロック解除状態を保持している為、手作業で同時に各スライドレールを操作する必要がなく、一人での操作を簡単にしており、多数本のスライドレールを備える引き出し等の各種ロック解除動作を操作することができる。
ｂ．ガイド板の一時ロック機能はスライドレール収納時に自動解除され、一つ一つ手でガイド板のを解除する必要がない。また、それは、スライドレールを再度引っ張り出す場合、このガイド板が連動するロックメカニズムはロック状態に既に確実に戻っており、内側への戻り防止や離脱防止の機能を持つ。
【考案を実施するための最良の形態】
【００１２】
（実施例１）
図１に示したとおり、本考案の実施例１によるスライドレールは、第一レール１、第二レール２、ガイド板３、操作ボタン４、及び係止部材５を含む。
その内、第一レール１には前端に停止部材１１を設け、停止部材１１の前後には第一端１１１、第二端１１２を設ける。
第二レール２は、前述の第一レール１に嵌め入んでスライド移動するものであり、その上には一つの係止部２１を設ける。本実施例において、この係止部２１は一つの中空孔２２内に設けられ、係止部２１には最低一つの停止面２１１を設け、また、第一レール１の離脱防止機能に応じる為、第二レール２上には制御部品２３を回動可能に設け、並びに、制御部品２３には一つの第一弾性部品２４を組み合わせて力を加え、且つ一つの蓋座２５を設ける。その内、第一弾性部品２４は、蓋座２５に連接可能な細長い棒体である。また、上述した制御部品２３の離脱防止機能は、ただ本実施例の一つであるだけであり、本考案の特徴がそこにあるものではない。
【００１３】
図２と図３を参照する。
ガイド板３は、前述した第二レール２の内側の面に取り付ける。このガイド板３の二つの相対する外端の一端には案内部３１を設け、もう一端には差込部３２を設けて、一つの操作ボタン４に接続する。この案内部３１は、本実施例において、前述の制御部品２３に対応して相互に連動しており、ガイド板３に作用する一つの第二弾性部品３４を設ける。ガイド板３は一つの圧接片３３を第二弾性部品３４の一端に接合しており、本実施例において、第二弾性部品３４は前述の蓋座２５の内部に設けてあるので、ガイド板３は第二弾性部品３４の助けを借りて自動的に元の位置に戻る作用を持つ。
操作ボタン４の片側には一つの開口部４１を設け、開口部４１の片側には一つの接合溝４２を設け、且つ、操作ボタン４には一つの嵌合環４３を設け、対応するガイド板３の差込部３２と嵌合する。
【００１４】
係止部材５は、前述の操作ボタン４の開口部４１箇所に設けた可動部品であり、この係止部材５には一つの引掛け部５１と一つの受け部５２を設ける。本実施例において、係止部材５は、それ自身に弾力作用のある棒状の弾性体であり、且つ、一つの固定端５３が設けられ、係止部材５の固定端５３を操作ボタン４の接合溝４２に嵌合して開口部４１箇所に延伸させる。
前述の構造に基づき、第二レール２を第一レール１に嵌め入んで極限まで引っ張り出した図は、図４に示すとおりである。第二レール２は、回動可能に設けた制御部品２３によって第一レール１の停止部材１１の第二端１１２を圧しているので、第二レール２は相対する第一レール１を離脱することがない。
【００１５】
また、ガイド板３を引っ張った後の図は、図５に示すとおりである。操作ボタン４に結合した係止部材５は相対する第二レール２の係止部２１に接触してスライド移動すると、係止部材５の引掛け部５１が係止部２１の停止面２１１に当接し、操作ボタン４とガイド板３は元の位置を離れた後の第二位置箇所に一時ロックする。この第二位置は、この実施例において、第二レール２を第一レール１から引っ張り、離脱させたものである。
【００１６】
図６に示すとおり、第一レール１に相対する第二レール２を収納する場合、係止部材５の受け部５２の助けを借りて停止部材１１の第一端１１１に接触する。また、第二レール２に伴う移動は、図７に示すとおりであり、係止部材５の受け部５２は、第一端１１１が停止部材１１の圧迫を徐々に受けることにより、下に移動し始め、係止部材５の引掛け部５１と共に係止部２１の停止面２１１を離脱する。これにより、ガイド板３は自動的に元の位置まで戻り、上述の制御部品２３もまた相対する第一レール１の停止部材１１と相互に接する離脱防止状態にまで戻る。
以上実施例１において、具体的な方式を説明したが、下記に本考案の技術の範囲内における実施例を説明する。
【００１７】
（実施例２）
図８に示すとおり、ガイド板３ａの二つの対称となる外端の一端には一つの案内部３１ａを設け、もう一端には連接する操作ボタン４ａを一体成形し、係止部材５ａは操作ボタン４ａに対応して相互に嵌合する。
（実施例３）
図９に示すとおり、係止部材５ｂと操作ボタン４ｂは一体成形によって相互に接続しており、且つ、弾性のある係止部材５ｂは操作ボタン４ｂの開口部４１ｂ箇所に延伸する。
【００１８】
（実施例４）
図１０に示すとおり、係止部材５ｃと操作ボタン４ｃは回動可能に設けられ、一つの回転軸４３ｃを備えており、係止部材５ｃは操作ボタン４ｃの開口部４１ｃ箇所に置かれて往復運動を行い、且つ、設けられている一つの弾性部品５４ｃは係止部材５ｃに作用を及ぼす。本実施例において、弾性部品５４ｃは、湾曲したばね形状である。また、図１１に示すとおり、弾性部品５４ｃ１は、係止部材５ｃ１から直接延伸した弾力部である。更に、図１２に示したとおり、弾性部品５４ｃ２は、圧縮ばねである。
【００１９】
（実施例５）
図１３に示すとおり、係止部材５ｄは、操作ボタン４ｄの開口部４１ｄ箇所に設け、スライド移動が可能であり、係止部材５ｄは操作ボタン４ｄの開口部４１ｄ箇所において縦方向の運動を行い、且つ、設けられている一つの弾性部品５４ｄは係止部材５ｄに作用を及ぼす。この係止部材５ｄの両側には制御部５５ｄを備えており、操作ボタン４ｄの開口部４１ｄ両側にはエッジ４４ｄを設け、制御部５５ｄは対応するエッジ４４ｄと相互に圧している故、係止部材５ｄのスライドルートを制限することができる。弾性部品５４ｄは、一つの湾曲したばね片形式である。また、図１４に示すとおり、弾性部品５４ｄ１は、係止部材５ｄ１から直接延伸する一つの弾力部である。または、図１５に示すとおり、弾性部品５４ｄ２は、圧縮ばねである。
【００２０】
（実施例６）
図１６に示すとおり、係止部材５ｅは、操作ボタン４ｅの開口部４１ｅ箇所に設けてあり、スライド移動可能であるので、係止部材５ｅは操作ボタン４ｅの開口部４１ｅ箇所において縦方向の運動をする。且つ、設けられている一つの弾性部品５４ｅは係止部材５ｅに作用を及ぼすものであり、この係止部材５ｅには一つのスライド溝５６ｅを設け、操作ボタン４ｅに設けた一つの凸柱４５ｅはスライド溝５６ｅ内に延伸しており、係止部材５ｅのスライドルートを制限するものであり、且つ、弾性部品５４ｅは一つの湾曲したばね片である。図１７に示すとおり、弾性部品５４ｅ１は、係止部材５ｅから直接延伸した一つの弾力部である。または、図１８に示すとおり、弾性部品５４ｅ２は、圧縮ばねである。
【００２１】
（実施例７）
また、上述の実施例は全て、操作ボタン４上に係止部材５のある設計である。しかし、操作ボタン４がガイド板３に結合している為、もし係止部材５をガイド板３に設けるなら、それもまた、本考案の技術思想によって容易に創造可能なパターンに属する。この具体的な実施例は、図１９に示すとおりであり、操作ボタン４ｆはガイド板３ｆの一端にある比較的大きな面積を持つ柄部３５ｆに結合し、係止部材５ｆの一端には一つの延伸片５７ｆを設けて柄部３５ｆに固定し、且つ、操作ボタン４ｆは比較的小さな形状でガイド板３ｆの柄部３５ｆに接合し、操作ボタン４ｆ片側の空間を利用して係止部材５ｆを収め、且つ、柄部３５ｆに備えられている一つの可動溝３５１ｆには係止部材５ｆを嵌合する。又、ガイド板３ｆは比較的長い柄部３５ｆを備えている故、係止部材５ｆの設置位置には更に多くの選択性を持たせることができる。
【図面の簡単な説明】
【００２２】
【図１】本考案の実施例１によるスライドレールの第一レールと第二レールの全体構造を示す分解図である。
【図２】本考案の実施例１によるスライドレールのガイド板、操作ボタン、係止部材を示す分解図である。
【図３】本考案の実施例１によるスライドレールのガイド板、操作ボタン、係止部材を第二レールに組み合わせた状態を示す斜視図である。
【図４】本考案の実施例１によるスライドレールの第一レールに対応した第二レールを極限まで引っ張り出した状態を示す模式図である。
【図５】本考案の実施例１によるスライドレールのガイド板、操作ボタン、係止部材の引っ張られる作動状態を示す模式図である。
【図６】本考案の実施例１によるスライドレールの第一レールに対応する第二レールを押し入れた状態を示す模式図である。
【図７】本考案の実施例１によるスライドレールの第一レールに対応する第二レールを引き続き押し入れた状態を示す模式図である。
【図８】本考案の実施例２によるスライドレールを示す分解図である。
【図９】本考案の実施例３によるスライドレールを示す斜視図である。
【図１０】本考案の実施例４によるスライドレールを示す斜視図である。
【図１１】本考案の実施例４によるスライドレールの弾性部品の変形例１を示す斜視図である。
【図１２】本考案の実施例４によるスライドレールの弾性部品の変形例２を示す斜視図である。
【図１３】本考案の実施例５によるスライドレールを示す斜視図である。
【図１４】本考案の実施例５によるスライドレールの弾性部品の変形例１を示す斜視図である。
【図１５】本考案の実施例５によるスライドレールの弾性部品の変形例２を示す斜視図である。
【図１６】本考案の実施例６によるスライドレールを示す斜視図である。
【図１７】本考案の実施例６によるスライドレールの弾性部品の変形例１を示す斜視図である。
【図１８】本考案の実施例６によるスライドレールの弾性部品の変形例２を示す斜視図である。
【図１９】本考案の実施例７によるスライドレールを示す斜視図である。
【符号の説明】
【００２３】
１：第一レール、２：第二レール、３：ガイド板、３ａ：ガイド板、３ｆ：ガイド板、４：操作ボタン、４ａ：操作ボタン、４ｂ：操作ボタン、４ｃ：操作ボタン、４ｄ：操作ボタン、４ｅ：操作ボタン、４ｆ：操作ボタン、５：係止部材、５ａ：係止部材、５ｂ：係止部材、５ｃ：係止部材、５ｃ１：係止部材、５ｄ：係止部材、５ｄ１：係止部材、
５ｅ：係止部材、５ｅ１：係止部材、５ｆ：係止部材、１１：停止部材、２１：係止部、２２：中空孔、２３：制御部品、２４：第一弾性部品、２５：蓋座、３１：案内部、３１ａ：案内部、３２：差込部、３３：圧接片、３４：第二弾性部品、３５ｆ：柄部、４１：開口部、４１ｂ：開口部、４１ｃ：開口部、４１ｄ：開口部、４１ｅ：開口部、４２：接合溝、４３：嵌合環、４３ｃ：回転軸、４４ｄ：エッジ、４５ｅ：凸柱、５１：引掛け部、５２：受け部、５３：固定端、５４ｃ：弾性部品、５４ｃ１：弾性部品、５４ｃ２：弾性部品、５４ｄ：弾性部品、５４ｄ１：弾性部品、５４ｄ２：弾性部品、５４ｅ：弾性部品、５４ｅ１：弾性部品、５４ｅ２：弾性部品、５５ｄ：制御部、５６ｅ：スライド溝、５７ｆ：延伸片、１１１：第一端、１１２：第二端、２１１：停止面、３５１ｆ：可動溝
【図１】
0003138146.tif 000003
【図２】
0003138146.tif 000004
【図３】
0003138146.tif 000005
【図４】
0003138146.tif 000006
【図５】
0003138146.tif 000007
【図６】
0003138146.tif 000008
【図７】
0003138146.tif 000009
【図８】
0003138146.tif 000010
【図９】
0003138146.tif 000011
【図１０】
0003138146.tif 000012
【図１１】
0003138146.tif 000013
【図１２】
0003138146.tif 000014
【図１３】
0003138146.tif 000015
【図１４】
0003138146.tif 000016
【図１５】
0003138146.tif 000017
【図１６】
0003138146.tif 000018
【図１７】
0003138146.tif 000019
【図１８】
0003138146.tif 000020
【図１９】
0003138146.tif 000021